(57)【要約】      （修正有）【課題】ＩＣカードホルダー本体から非接触ＩＣカードを抜き出すことなく利用することができ、また、利用者が使用前に各々の非接触ＩＣカード情報を知ることができるＩＣカードホルダーを提供する。【解決手段】ケース本体１０と、非接触ＩＣカード４ｂ等を収納するカード収納トレー３ｂ等と、カード収納トレーの任意の一つを選択する切替スイッチ２ｂ等と、選択されたカード収納トレー３ｂ等の位置を変更するカード収納トレー位置変更手段と、非接触ＩＣカード４ｂ等の情報を読み出す情報読出部７と、情報読出部７を選択するスイッチ１３と、情報読出部７の位置を変更する情報読出部位置変更手段と、情報読出部７により読み出された情報を表示する情報表示部５その他を有するＩＣカードホルダー１とする。このＩＣカードホルダー１は、非接触ＩＣカード３ｂ等の一部がケース本体１０の外部に出た状態で、外部リーダ／ライタ８との通信が可能となる。【選択図】図３
2007108982.tif 000002
【特許請求の範囲】
【請求項１】
ケース本体と、前記ケース本体の内部に配置されて非接触ＩＣカードを収納する少なくとも一つのカード収納トレーと、前記カード収納トレーの任意の一つを選択する少なくとも一つのカード収納トレー選択手段と、前記カード収納トレー選択手段により選択されたカード収納トレーの位置を変更するカード収納トレー位置変更手段と、選択されたカード収納トレーに収納された非接触ＩＣカードの情報を読み出す少なくとも一つの情報読出部と、前記情報読出部を選択する少なくとも一つの情報読出部選択手段と、前記情報読出部の位置を変更する情報読出部位置変更手段と、前記情報読出部により読み出された情報を表示する少なくとも一つの情報表示部と、少なくとも前記情報読出部及び前記情報表示部を動作させる電源部と、少なくとも前記ケース本体の前記情報表示部が配置された面と対向する面に設置される電磁場遮蔽部とを具備することを特徴とするＩＣカードホルダー。
【請求項２】
前記情報読出部が、少なくとも前記非接触ＩＣカードに電波送信して電源エネルギーを与える手段と、非接触ＩＣカ−ドからの情報を受信する手段とを具備することを特徴とする請求項１に記載のＩＣカードホルダー。
【請求項３】
前記カード収納トレー選択手段が、電気的又は機械的な手段であることを特徴とする請求項１又は２に記載のＩＣカードホルダー。
【請求項４】
前記カード収納トレー位置変更手段が、前記カード収納トレーをスライド又は回動させる機構であることを特徴とする請求項１乃至３のいずれかに記載のＩＣカードホルダー。
【請求項５】
前記情報読出部位置変更手段が、前記情報読出部をスライド又は回動させる機構であることを特徴とする請求項１乃至４のいずれかに記載のＩＣカードホルダー。
【請求項６】
前記非接触ＩＣカードの情報の履歴を保持する情報履歴保持手段と、前記情報の履歴を表示する情報履歴表示手段とを更に具備することを特徴とする請求項１乃至５のいずれかに記載のＩＣカードホルダー。
【請求項７】
前記情報読出部を、位置変更し、情報を読み出し、及び再収納する動作をその順に連続かつ自動に行わせる自動読出手段を更に具備することを特徴とする請求項１乃至６のいずれかに記載のＩＣカードホルダー。
【請求項８】
少なくとも前記ケース本体の一部と重なり、前記カード収納トレーに付随して位置を変更する本体カバーを具備することを特徴とする請求項１乃至７のいずれかに記載のＩＣカードホルダー。
【請求項９】
前記本体カバーが、前記カード収納トレーに収納された非接触ＩＣカードの読出し若しくは送信周波数の電磁波を透過する読み取り窓又は開口部を具備することを特徴とする請求項８に記載のＩＣカードホルダー。
【請求項１０】
前記読み取り窓又は前記開口部が、前記ケース本体の前記情報表示部の設置された面と対向する面に配置されることを特徴とする請求項８又は９に記載のＩＣカードホルダー。
【発明の詳細な説明】
【技術分野】
【０００１】
本発明は、複数枚の非接触ＩＣカードを収納することができるＩＣカードホルダーに関する。
【背景技術】
【０００２】
非接触ＩＣカードは、情報読出書込装置（以下、リーダ／ライタともいう。）上に載置されると、そのリーダ／ライタとの間で、微弱な電波を利用したデータの送受信を行う（例えば、非特許文献１を参照。）。非接触ＩＣカードとリーダ／ライタには、各々にアンテナコイルが内蔵されている。リーダ／ライタのアンテナコイルの発振電流に基づいて発生する発振磁界により、非接触ＩＣカードのアンテナコイルに電流が誘起される。この誘起電流に基づく電圧が電源電圧として非接触ＩＣカードに供給され、各々のアンテナコイルを介して非接触ＩＣカードのメモリに対するデータの読み出しや書き込みが可能になる。
【０００３】
非接触ＩＣカードは、接触型ＩＣカードとは異なり、情報読出端末に接触させなくても処理が可能である。そのため、高速処理が必要な鉄道やバス等の決済処理や企業の入退室管理等に採用されており、近年、クレジットカード等にもその利用が拡大している。
【０００４】
このような非接触ＩＣカードの普及に伴い、一人が複数枚の非接触ＩＣカードを同時に携帯するようになっている。しかしながら、このような複数枚の非接触ＩＣカードを一つのＩＣカードホルダーに重ねて収納し、それをリーダ／ライタに載置した場合、本来利用したい非接触ＩＣカード以外の非接触ＩＣカードにもデータの読み出しや書き込みが行われるという問題が生じる。これは、リーダ／ライタのアンテナコイルから発生する発振磁界が、目的以外の非接触ＩＣカードのアンテナコイルにも作用するためである。
【０００５】
したがって、複数枚の非接触ＩＣカードを重ねて収納し、その中の一枚を外部の情報読出書込装置（以下、外部リーダ／ライタともいう。）と通信させる場合、複数枚の非接触ＩＣカードから一枚だけをＩＣカードホルダーから取り出し、それを外部リーダ／ライタにかざして通信させる必要があった。
【０００６】
複数枚の非接触ＩＣカードを同時に携帯し、その利便性を向上させる手法としては、二つのカード収納部の隔壁部に導電体を挟むことにより２枚の非接触ＩＣカードを抜き出さずに利用する方法が提案されている（例えば、特許文献１を参照。）。この技術では、外部リーダ／ライタのアンテナ基板が発生する発振磁界は、導電体により遮断される。これにより、その発振磁界は、外部リーダ／ライタと導電体の間にある、外部リーダ／ライタに近い側の非接触ＩＣカードのアンテナコイルと電磁結合する一方、もう一方の非接触ＩＣカードのアンテナコイルとは電磁結合しない構造となる。よって、利用したい非接触ＩＣカード側を外部リーダ／ライタに近づけるだけで、非接触ＩＣカードをＩＣカードホルダーから抜き出すことなく利用することが可能となる。
【０００７】
また、ＩＣカードホルダー内に収納する非接触ＩＣカード毎にアンテナを設置する技術も提案されている（例えば、特許文献２を参照。）。この技術では、ＩＣカードホルダー本体は複数のカード収納部で構成され、各カード収納部には非接触ＩＣカードのアンテナとカップリングするカップリング用アンテナが設置されている。また、カード収納部の隔壁部に導電体を挟むことで、他の非接触ＩＣカードの影響を受けることを抑制している。さらに、切替スイッチで使用するカップリング用アンテナを選択し、これを外部リーダ／ライタとの通信を行う通信用アンテナに接続することによって、ＩＣカードホルダー中の複数の非接触ＩＣカードから特定の非接触ＩＣカードの情報を外部リーダ／ライタと通信することが可能となる。
【０００８】
一方、現状では、非接触ＩＣカード内に格納されているチャージ金額や利用履歴等の情報を確認することができないために、複数枚の非接触ＩＣカードから使用する非接触ＩＣカードを選択する場合に使用者が混乱し、目的とするものではないものを利用してしまう可能性が非常に高い。なお、交通決済の場合、改札機の読み取り端末や非接触ＩＣカードにチャージする機械で残額を表示することは可能であるが、それでは、日々の利用に際して利便性が低いということは言うまでもない。
【０００９】
こうした問題を解決する手法としては、接触型ＩＣカードの枚数分の情報読み出し手段と情報表示部を設置する方法が提案されている（例えば、特許文献３を参照。）。この技術では、ＩＣカードホルダー本体は複数のカード収納部で構成され、各カード収納部は接触型ＩＣカードと電気的に接続する電極を有する。また、読み出し手段により読み出された情報を表示する表示部を有するため、接触型ＩＣカードに記録されている所定の情報を読み出して、読み出された情報を表示することが可能となる。
【非特許文献１】苅部浩著、「非接触ＩＣカードの本」、第４２頁〜第４３頁、日刊工業新聞社（２００３年発行）
【特許文献１】特開２０００−２６８１４６号公報
【特許文献２】特開２００５−３２１１３号公報
【特許文献３】特開平１０−１７１９４９号公報
【発明の開示】
【発明が解決しようとする課題】
【００１０】
しかしながら、上記従来技術は、以下の点でなお改善の余地を有している。特許文献１に記載のように、２つのカード収納部の隔壁部に導電体を挟む方法は、非接触ＩＣカードが２枚のみの利用の場合には有効であるが、非接触ＩＣカードが３枚以上になると、一つの面に位置をずらして非接触ＩＣカードを配置する必要があり、サイズが大きくなるという問題がある。また、３枚の非接触ＩＣカードで、隔壁部を一つ配置した場合には、非接触ＩＣカードが隔壁部により１枚と２枚に分離され、１枚側の方は正しく通信することが可能であるが、２枚ある方の非接触ＩＣカードは通信を行うことができない。また、３枚の非接触ＩＣカードを２枚の隔離部でそれぞれ分離した場合、両側の非接触ＩＣカードは通信可能であるが、真ん中の１枚の非接触ＩＣカードは通信が困難となる。よって、個人が日常的に携帯する非接触ＩＣカードの普及が拡大している現状に対応しているとは言えない。
【００１１】
一方、特許文献２に記載のように、ＩＣカードホルダー内に収納する非接触ＩＣカード毎にアンテナを設置する方法では、各々の非接触ＩＣカードの通信仕様に適したカップリング用アンテナと磁性材料を選定する必要がある。つまり、カード収納部に設置されたカップリング用アンテナと磁性材料の種類に適していない種類の非接触ＩＣカードを収納した場合は、通信が不可能となることになる。すると、例えば、６個のうち２個ずつ種類Ａ、Ｂ、Ｃに対応したカード収納部を設置した場合、種類Ａを３枚、種類Ｂを３枚収納した際は、通信できない非接触ＩＣカードが存在することになり、利便性が著しく損なわれてしまう。
【００１２】
また、この構造では、カード収納部の数と同じ枚数のアンテナに加えてさらに通信用のアンテナ１枚が必要となる。また、各非接触ＩＣカードの両側に磁性体部を設ける必要があるため、各カード収納部に２個ずつの磁性体部が必要となる。このように、この技術は、多数のアンテナや磁性体部を要するという問題がある。
【００１３】
なお、２つのカード収納部の隔壁部に導電体を挟む方法やＩＣカードホルダー内に収納する非接触ＩＣカード毎にアンテナを設置する方法においても、非接触ＩＣカードの情報を表示する機能は提案されていない。
【００１４】
また、特許文献３に記載のように、接触型ＩＣカードの枚数分の情報読み出し手段と情報表示部とを設置する方法では、特許文献２の場合と同様に、収納した接触型ＩＣカード枚数分の読み出し手段が必要となる。また、この技術は接触型ＩＣカードに対応するＩＣカードホルダーであり、非接触ＩＣカードの情報を読み取り表示することは、この構造では不可能である。
【００１５】
本発明は、上述の問題点に鑑みてなされたものであって、その目的は、３枚以上の非接触ＩＣカードを任意のカード収納トレーに収納した場合であっても、ＩＣカードホルダー本体から非接触ＩＣカードを抜き出すことなく利用することができ、また、利用者が使用前に各々の非接触ＩＣカードの情報を知ることができるＩＣカードホルダーを、カード収納トレーの数より多い数のアンテナを具備する必要のない構造で提供することにある。
【課題を解決するための手段】
【００１６】
上記課題を解決するために、本発明のＩＣカードホルダーは、ケース本体と、前記ケース本体の内部に配置されて非接触ＩＣカードを収納する少なくとも一つのカード収納トレーと、前記カード収納トレーの任意の一つを選択する少なくとも一つのカード収納トレー選択手段と、前記カード収納トレー選択手段により選択されたカード収納トレーの位置を変更するカード収納トレー位置変更手段と、選択されたカード収納トレーに収納された非接触ＩＣカードの情報を読み出す少なくとも一つの情報読出部と、前記情報読出部を選択する少なくとも一つの情報読出部選択手段と、前記情報読出部の位置を変更する情報読出部位置変更手段と、前記情報読出部により読み出された情報を表示する少なくとも一つの情報表示部と、少なくとも前記情報読出部及び前記情報表示部を動作させる電源部と、少なくとも前記ケース本体の前記情報表示部が配置された面と対向する面に設置される電磁場遮蔽部とを具備することを特徴とする。
【００１７】
この発明によれば、カード収納トレー選択手段により選択されたカード収納トレーは、カード収納トレー位置変更手段により位置変更してその一部がケース本体から外部に出る。このとき、電磁場遮蔽部は、ケース本体の情報表示部が配置された面と対向する面に設けられているので、ケース本体内に収納された状態の非接触ＩＣカードは、電磁場遮蔽部の作用により外部の情報読出書込装置との通信が遮断され、ケース本体からその一部が外部に出た非接触ＩＣカードは、電磁場遮蔽部の作用が及ばないので外部の情報読出書込装置との通信が可能になる。その結果、ＩＣカードホルダー本体から非接触ＩＣカードを抜き出すことなく利用することができる。
【００１８】
さらに、この発明によれば、情報読出部は、通常時にはケース本体内に収納されているが、情報読出部選択手段を選択して情報読出部位置変更手段を起動させると、情報読出部は位置変更してその一部がケース本体から外部に出る。同様に、カード収納トレー選択手段により選択された何れかのカード収納トレーは、カード収納トレー位置変更手段により位置変更してその一部がケース本体から外部に出る。ケース本体から外部に出たカード収納トレーに収納された非接触ＩＣカードの情報は、情報読出部により読み出されるので、任意の非接触ＩＣカードの情報を容易に読み出すことができると共に、情報表示部に表示させることができる。その結果、利用者が使用前に各々の非接触ＩＣカードの情報を知ることができると共に、カード収納トレーの数より多い数のアンテナを具備する必要のない構造とすることができる。
【００１９】
本発明のＩＣカードホルダーにおいては、前記情報読出部が、少なくとも前記非接触ＩＣカードに電波送信して電源エネルギーを与える手段と、非接触ＩＣカ−ドからの情報を受信する手段とを具備することを特徴とする。
【００２０】
本発明のＩＣカードホルダーにおいては、前記カード収納トレー選択手段が、電気的又は機械的な手段であることを特徴とする。
【００２１】
本発明のＩＣカードホルダーにおいては、前記カード収納トレー位置変更手段が、前記カード収納トレーをスライド又は回動させる機構であることを特徴とする。
【００２２】
本発明のＩＣカードホルダーにおいては、前記情報読出部位置変更手段が、前記情報読出部をスライド又は回動させる機構であることを特徴とする。
【００２３】
本発明のＩＣカードホルダーにおいては、前記非接触ＩＣカードの情報の履歴を保持する情報履歴保持手段と、前記情報の履歴を表示する情報履歴表示手段とを更に具備することを特徴とする。この発明によれば、非接触ＩＣカードを利用する度に、専用の残高確認装置により残高確認を行う必要がなくなり、利便性を高めることができる。
【００２４】
本発明のＩＣカードホルダーにおいては、前記情報読出部を、位置変更し、情報を読み出し、及び再収納する動作をその順に連続かつ自動に行わせる自動読出手段を更に具備することを特徴とする。この発明によれば、使用勝手が各段に向上すると共に、読み取りエラーの発生を防止することができる。
【００２５】
本発明のＩＣカードホルダーにおいては、少なくとも前記ケース本体の一部と重なり、前記カード収納トレーに付随して位置を変更する本体カバーを具備することを特徴とする。この発明によれば、ケース本体を保護することができると共に、外部からの不正アクセスを防止するセキュリティー効果を高めることができるに設けられる。
【００２６】
なお、前記本体カバーが、前記カード収納トレーに収納された非接触ＩＣカードの読出し若しくは送信周波数の電磁波を透過する読み取り窓又は開口部を具備することが好ましい。この発明によれば、外部の情報読出書込装置との間の通信を容易且つ確実なものとすることができる。
【００２７】
また、前記読み取り窓又は前記開口部が、前記ケース本体の前記情報表示部の設置された面と対向する面に配置されることが好ましい。
【発明の効果】
【００２８】
本発明のＩＣカードホルダーによれば、３枚以上の非接触ＩＣカードを任意のカード収納トレーに収納した場合であっても、非接触ＩＣカードをＩＣカードホルダーから取り出さずに任意の非接触ＩＣカード１枚を使用することができる。また、任意のカード収納トレーに任意の通信仕様の非接触ＩＣカードを収納して利用することができる。さらに、各カード収納トレーにアンテナや導電体シールドを付与する必要が無く、利用者が使用前に各々の非接触ＩＣカードの情報を知ることができるＩＣカードホルダーを、カード収納トレーの数より多い数のアンテナを具備する必要のない構造で提供することができる。また、複数枚の非接触ＩＣカード各々のチャージ金額や利用履歴をその場で確認して、利用する非接触ＩＣカードを選択することができる。
【発明を実施するための最良の形態】
【００２９】
以下、本発明のＩＣカードホルダーの各実施形態について、図面を参照しつつ説明する。
【００３０】
（第１実施形態）
図１は、本発明の第１実施形態に係るＩＣカードホルダーの一例を示す斜視図であり、図２は、図１のＩＣカードホルダーの概略断面構成図である。また、図３は、図１のＩＣカードホルダーに収納された非接触ＩＣカードのなかから、任意に選択した非接触ＩＣカードと外部の情報読出書込装置との通信時の斜視図の一例であり、図４は、図１に示すＩＣカードホルダーに収納された非接触ＩＣカードと、ＩＣカードホルダーに具備された情報読出部との通信時の斜視図の一例である。図１及び図２はＩＣカードホルダーの未使用時の状態であり、図３は非接触ＩＣカードと外部の情報読出書込装置との通信時の状態であり、図４は非接触ＩＣカードと情報読出部との通信時の状態である。なお、以下の説明中、「上」、「下」、「左」、「右」の記載は、図面を平面視したときの上下左右を表している。
【００３１】
第１実施形態のＩＣカードホルダー１は、図１及び図２に示すように、ケース本体１０と、ケース本体１０の内部に配置されて非接触ＩＣカード４ａ，４ｂ，４ｃを収納する３つのカード収納トレー３ａ，３ｂ，３ｃと、カード収納トレー３ａ，３ｂ，３ｃの任意の一つを選択する３つのカード収納トレー選択手段（以下、第１実施形態では「切替スイッチ」という。）２ａ，２ｂ，２ｃと、カード収納トレー選択手段２ａ，２ｂ，２ｃにより選択されたカード収納トレー３ａ，３ｂ，３ｃの位置を変更するカード収納トレー位置変更手段１５ａ，１５ｂ，１５ｃと、選択されたカード収納トレーに収納された非接触ＩＣカードの記録情報を読み出す情報読出部７と、情報読出部７を選択する情報読出部選択手段１３と、情報読出部７の位置を変更する情報読出部位置変更手段１６と、情報読出部７により読み出された情報を表示する情報表示部５と、情報読出部７及び情報表示部５を動作させる電源部６と、ケース本体１０の情報表示部５が配置された面と対向する面に設置される電磁場遮蔽部１４とを備えている。
【００３２】
すなわち、第１実施形態のＩＣカードホルダー１は、図１に示すように、ケース本体１０の外部表面に、カード収納トレー３ａ，３ｂ，３ｃに対応した切替スイッチ２ａ，２ｂ，２ｃと、情報読出部選択手段１３と、情報表示部５とを有している。より詳しくは、切替スイッチ２ａ，２ｂ，２ｃと情報読出部選択手段１３とが外部側面に設けられており、情報表示部５が外部上面に設けられている。また、ＩＣカードホルダー１の内部には、図２に示すように、電源部６が上部裏面に設けられており、カード収納トレー３ａ，３ｂ，３ｃと情報読出部７とが積層形態で設けられており、カード収納トレー位置変更手段１５ａ，１５ｂ，１５ｃと情報読出部位置変更手段１６とが前記カード収納トレー３ａ，３ｂ，３ｃと情報読出部７に対応した位置関係で内壁面に設けられており、電磁場遮蔽部１４が下部裏面に設けられている。なお、カード収納トレー３ａ，３ｂ，３ｃには、非接触ＩＣカード４ａ，４ｂ，４ｃがそれぞれ収納可能である。
【００３３】
図３は、利用者が選択した任意の非接触ＩＣカードが外部の情報読出書込装置（「外部リーダ／ライタ」ともいう。）８と通信を行う状態を示している。図３においては、切替スイッチ２ｂにより選択されたカード収納トレー３ｂは、カード収納トレー位置変更手段１５ｂによりスライドしてその一部がケース本体１０から外部に出る。このとき、電磁場遮蔽部１４が外部リーダ／ライタ８に対向する下部裏面に設けられているので、ケース本体１０内に収納された状態の非接触ＩＣカード４ａ，４ｃは、電磁場遮蔽部１４の作用により外部リーダ／ライタ８との通信が遮断される。一方、ケース本体１０からその一部が外部に出た非接触ＩＣカード４ｂは、電磁場遮蔽部１４の作用が及ばないので外部リーダ／ライタ８との通信が可能になっている。
【００３４】
図３においては、切替スイッチ２ｂによりカード収納トレー３ｂを選択して、その一部をケース本体１０の外部に出しているが、他の切替スイッチ２ａ又は２ｃにより他のカード収納トレー３ａ又は３ｃを選択して、その一部をケース本体１０の外部に出すことも当然可能である。
【００３５】
図４は、ＩＣカードホルダー１が備える情報読出部７と非接触ＩＣカード３ｂとの通信時の斜視図の一例である。情報読出部７は、通常時にはケース本体１０内に収納されているが、情報読出部選択手段１３を選択して情報読出部位置変更手段１６を起動させると、情報読出部７はスライドしてその一部がケース本体１０から外部に出る。同様に、切替スイッチ２ａ，２ｂ，２ｃにより選択された何れかのカード収納トレー３ａ，３ｂ，３ｃは、カード収納トレー位置変更手段１５ａ，１５ｂ，１５ｃによりスライドしてその一部がケース本体１０から外部に出る。図４に示すように、ケース本体１０から一部が外部に出たカード収納トレー３ｂに収納された非接触ＩＣカード４ｂと、情報読出部７とは、対向した状態で保持される。そして、情報読出部７は、その非接触ＩＣカード４ｂに電波送信して電源エネルギーを与え、非接触ＩＣカ−ド４ｂに記録されている情報を受信する。この情報読出部７は、受信した情報を情報表示部５に送信する。
【００３６】
なお、ケース本体１０の外部上面の情報表示部５については、図４に示すように３つの形態で設けられていてもよく、図１〜図３に示すように、１つの形態で設けられていてもよい。
【００３７】
以下に、ＩＣカードホルダーの詳細を、第１実施形態を例にして説明する。
【００３８】
ケース本体１０は、ＩＣカードホルダー１の各構成部材を収納するものである。ケース本体１０の形状は、図１に示すように、一つの側面がカード収納トレー３ａ，３ｂ，３ｃの取り出し口となっている直方体等が挙げられる。ケース本体１０の形成材料としては、樹脂、金属、セラミック等、何れの材料を使用することもできる。また、ケース本体１０は、一つの材料で形成される必要はなく、２種以上の材料で形成されていても構わない。さらに、近年の環境配慮意識の高まりを考慮し、低環境負荷材料であるポリ乳酸を含むバイオプラスチックを利用することもできる。一方、リサイクルを容易にするために、ケース本体１０から、情報表示部、電源部、カード収納トレーを容易に取り外せる構造とすることが望ましい。容易に取り外せる構造とは、はめ込み又はねじ止め等の構造を例示でき、構成材料の異なる部材が接着剤等により強固に固定されていないものをいう。
【００３９】
カード収納トレー３ａ，３ｂ，３ｃは、非接触ＩＣカード４ａ，４ｂ，４ｃを収納するものである。カード収納トレーの構造は、カード収納トレーから非接触ＩＣカードの出し入れを可能にする構造であればよい。例えば、カード収納トレーの縁部の一辺をＩＣカード出し入れ口とし、カード収納トレーの上部に縦長の切欠部を設けた構造等を例示することができる。具体例としては、挿入時には、利用者はＩＣカードをその出し入れ口から挿入し、取り出し時には、利用者はカード収納トレーに収納されている非接触ＩＣカードに前記切欠部から指先で触れ、その縦長の切欠部の長手方向に指先でスライドさせてＩＣカードを取り出すことができる。カード収納トレーの形成材料としては、電磁場（電磁波）透過性がある素材であれば何れの材料を使用することができる。例えば、電磁場（電磁波）吸収材を含有しない樹脂材料等が好ましく用いられる。また、カード収納トレーにおいては、収納された非接触ＩＣカードの種類を目視で確認できることが好ましく、そのための手段としては、カード収納トレーを光学的に透明な材料で形成することや、収納された非接触ＩＣカードの種類を目視で確認できる程度の開口部を設けること等を例示できる。
【００４０】
カード収納トレー選択手段２ａ，２ｂ，２ｃは、ケース本体１０の内部に収納された少なくとも一つ（通常は複数）のカード収納トレーの中から、任意の一つのカード収納トレーを選択する機構であり、電気的な機構であっても機械的な機構であってもよい。電気的な機構としては、例えば、図３に示すように、カード収納トレー３ａ，３ｂ，３ｃにそれぞれ対応した切替スイッチ２ａ，２ｂ，２ｃをケース本体１０の外部側面に設けたものであってもよいし、また、情報表示部５にタッチセンサー（図示しない）を搭載し、カード収納トレーの番号等の情報を表示して利用者が情報表示部５に触れることで選択できる仕組みとしてもよい。なお、機械的な機構は、後述の第２実施形態及び第３実施形態で説明する。
【００４１】
カード収納トレー位置変更手段１５ａ，１５ｂ，１５ｃは、前記カード収納トレー選択手段２ａ，２ｂ，２ｃにより選択されたカード収納トレー３ａ，３ｂ，３ｃの位置を変更するものである。本発明における位置変更とは、非接触ＩＣカードを収納したカード収納トレーの一部が、ケース本体から外部に出ること、並びにケース本体に戻ることを示す。なお、この位置変更により、収納された非接触ＩＣカードが外部リーダ／ライタ８と通信が行える位置までカード収納トレーを出せばよく、必ずしも非接触ＩＣカード全体がケース本体から外部に出るまでカード収納トレーを外部に出す必要はない。
【００４２】
そうしたカード収納トレー位置変更手段１５ａ，１５ｂ，１５ｃとしては、例えば、ばねとガイドとから構成される機構を例示できる。具体的には、ケース本体１０と各カード収納トレー３ａ，３ｂ，３ｃとを接続するばね（図２の符号１５ａ，１５ｂ，１５ｃを参照。）と、ケース本体１０の内部側面にカード収納トレーをスライドさせるためのガイド（図示しない）とを有するものを挙げることができる。こうした位置変更手段を適用すれば、利用者が例えば切替スイッチ２ａを押すことにより、カード収納トレー３ａをケース本体１０に保持していたばね１５ａが解除されて伸びるため、カード収納トレー３ａがガイドに沿ってケース本体の外部に向かってスライドする。このガイドには、カード収納トレーがケース本体から外れることのないように、ストッパーを有することが望ましい。
【００４３】
カード収納トレー選択手段（切替スイッチ）とカード収納トレー位置変更手段とは、例えば、カード収納トレー選択手段としての切替スイッチを押すと、選択されたカード収納トレーがスライドしてその一部が外部に出る。その後、押している切替スイッチを離すと、カード収納トレーは逆方向にスライドしてケース本体の内部に格納される。この場合、切替スイッチを押している間は、カード収納トレー内の非接触ＩＣカードが外部リーダ／ライタ８と通信可能な状態となる。また、同じ切替スイッチを１回押すとカード収納トレーが外部にスライドし、２回目を押すとケース本体の内部に格納される機構にしてもよい。なお、格納時は手動で押し入れる機構でも構わない。
【００４４】
情報読出部７は、選択されたカード収納トレーに収納された非接触ＩＣカードの記録情報を読み出すものであり、ＩＣカードホルダーに少なくとも一つ設けられている。この情報読出部７は、非接触ＩＣカードに電波送信して電源エネルギーを与える手段と、非接触ＩＣカ−ドからの情報を受信する手段とを有している。非接触ＩＣカードに電源エネルギーを与える手段とは、情報読出部７が有するアンテナコイルの発振電流に基づいて発生する発振磁界により、非接触ＩＣカードのアンテナコイルに電流を誘起することである。また、非接触ＩＣカ−ドからの情報を受信する手段とは、前記誘起電流により非接触ＩＣカード側で発生した発振磁界を、情報読出部７が有するアンテナコイルで受信することで非接触ＩＣカードの記録情報を読み出すことである。
【００４５】
情報読出部７は、多様な通信仕様に適するように設置することが望ましい。その理由は、収納される非接触ＩＣカードは複数となるため、通信に利用する周波数や通信方式が異なる可能性があるためである。例えば、マルチ周波数対応型の情報読出部を一つ設置してもよいし、また、各々の通信仕様に応じた複数の情報読出部を設置してもよい。なお、マルチ周波数対応型の情報読出部としては、１３．５６ＭＨｚに加えて、例えば９５０ＭＨｚや２．４５ＧＨｚ等の周波数の電波を読み取ることができる構成の非接触ＩＣカードリーダを例示できる。
【００４６】
情報読出部選択手段１３は、情報読出部７を選択するものであり、カード収納トレー選択手段と同様、例えば図１等に示すように、スイッチをケース本体１０の外部側面に設けてもよいし、情報表示部５にタッチセンサー（図示しない）を搭載し、情報読出部を選択できるように表示して利用者が情報表示部５に触れることで選択できる仕組みとしてもよい。
【００４７】
情報読出部位置変更手段１６は、情報読出部７の位置を変更するものであり、カード収納トレー位置変更手段と同様、情報読出部７の一部がケース本体１０内から外部に出ること、並びにケース本体に戻ることを示す。なお、この位置変更により、情報読出部７は、ケース本体外に出ている非接触ＩＣカードと通信が行える位置まで出せばよい。こうした情報読出部位置変更手段１６は、上記のカード収納トレー位置変更手段と同様の機構とすることが好ましく、上記同様、ばねとスライドガイドとを有するものを挙げることができる。こうした位置変更手段を適用すれば、利用者が例えばスイッチ（符号１３）を押すことにより、情報読出部７をケース本体１０に保持していたばね（符号１６）が解除されて伸びるため、情報読出部７がスライドガイドに沿ってケース本体の外部に向かってスライドする。このスライドガイドには、情報読出部がケース本体から外れることのないようにストッパーを有することが望ましい。
【００４８】
情報読出部選択手段１３と情報読出部位置変更手段１６とは、上述したカード収納トレー選択手段とカード収納トレー位置変更手段と同様の機構が挙げられる。例えば、情報読出部選択手段としてのスイッチを押すと、情報読出部７がスライドしてその一部が外部に出る。その後、押しているスイッチを離すと、情報読出部７は逆方向にスライドしてケース本体の内部に格納される。この場合、スイッチを押している間は、情報読出部７が、ケース本体１０の外に出ている非接触ＩＣカードと通信可能な状態となる。また、スイッチを１回押すと情報読出部が外部にスライドし、２回目を押すとケース本体の内部に格納される機構にしてもよい。なお、格納時は手動で押し入れる機構でも構わない。
【００４９】
情報表示部５は、情報読出部７により読み出した非接触ＩＣカードの情報を表示するものであり、例えばケース本体１０の外部上面に設けられている。情報表示部５としては、通常のディスプレイが利用できる。例えば、液晶ディスプレイ、有機ＥＬディスプレイ、Ｅ−インク等を挙げることができる。また、図４に示すように、情報表示部は切替スイッチと同じ数だけ設けることもできる。これにより、切替スイッチ２ａ，２ｂ，２ｃと、カード収納トレー３ａ，３ｂ，３ｃに収納された非接触ＩＣカード４ａ，４ｂ，４ｃが保有する残高等の情報との関連を明確にすることができ、誤った切替スイッチを押すことを防止する効果がある。
【００５０】
電源部６は、少なくとも情報読出部７及び情報表示部５に電力を供給して動作させるものである。他にも、必要に応じて、カード収納トレー選択手段、カード収納トレー位置変更手段、カード収納トレー位置変更手段等に電力を供給することも可能である。電源部６としては、一次電池、二次電池、燃料電池、太陽光発電等が利用でき、また、これらを組み合わせて利用したり、切り替えて利用するものであっても構わない。
【００５１】
電磁場遮蔽部１４は、ケース本体１０の内部に収納されている状態の非接触ＩＣカードと、外部リーダ／ライタ８（外部の情報読出書込装置）との通信を遮蔽するものである。よって、外部リーダ／ライタ８と対向する面に設けられていることが望ましい。そうした電磁場遮蔽部１４は、ケース本体１０の外面に設けられていてもよいし、ケース本体１０の内面に設けられていてもよい。また、ケース本体１０を構成する部材の内部に設けられていてもよい。さらに、ケース本体１０が、電磁場遮蔽材で形成されていても構わない。電磁場遮蔽部１４は、外部リーダ／ライタ８からの電磁場（電磁波）を吸収したり反射したりすることにより遮蔽するものであれば、各種の材料で形成することができる。例えば、アルミニウム箔等の金属材料を用いたり、炭素等の材料を用いたりしもよいし、二種類以上の材料又は遮蔽部材を組み合わせて形成してもよい。
【００５２】
また、この電磁場遮蔽部１４は、情報表示部５との位置関係においては、図２に示すように、情報表示部５が設けられた面と対向する面に設けられていることが望ましい。その理由は、ＩＣカードホルダー１の使用時において、ＩＣカードホルダー１は、通常、外部リーダ／ライタ８に対向する側の面と利用者側の面とに分けられるので、電磁場遮蔽部１４は、情報表示部５が設けられた利用者側の面ではなく、外部リーダ／ライタ８に対向する側の面に設けられていることが便利であるからである。
【００５３】
さらに、本発明に係るＩＣカードホルダーには、情報履歴保持手段及び情報履歴表示手段を備えてもよい。情報履歴保持手段とは、カード収納トレーに収納された非接触ＩＣカードから読み出した最新情報の履歴を保持する信号処理部のことであり、情報履歴表示手段とは、前記情報履歴保持手段によって保持された情報を表示することである。この情報履歴表示手段は、情報表示部５においてその情報を表示することが望ましい。こうした履歴表示により、非接触ＩＣカードを利用する度に、専用の残高確認装置により残高確認を行う必要がなくなり、利便性を高めることができる。
【００５４】
さらに、本発明に係るＩＣカードホルダーは、情報読出部７に自動読出手段を備えることも可能である。自動読出手段とは、情報読出部選択手段１３であるスイッチを押すことにより、情報読出部７が、外部にスライド（位置変更）し、情報を読み出し、及び再収納する動作をその順に連続かつ自動で行う機構である。こうした自動読出手段を設けることにより、読み取りエラーの発生を防止することができる。例えば、任意の一枚の非接触ＩＣカードと情報読出部７とが外部に出ている状態のまま保持されており、その状態で非接触ＩＣカードと外部リーダ／ライタ８との間で通信が行われる場合に、外部リーダ／ライタ８の発振磁場が情報読出部７の発振磁場の影響を受けて読み取りエラーが起こる可能性がある。そこで、情報読出部７が、連続かつ自動的に、外部にスライド（位置変更）し、情報を読み出し、及び再収納する動作をその順に行う機構とすることによって、任意の一枚の非接触ＩＣカードと情報読出部７とが外部に出ている状態のまま保持される状態をなくし、上記エラーの発生を防止することができる。なお、このときの一連の動作は、情報読出部選択手段１３のスイッチを押すことにより開始する。
【００５５】
（第２実施形態）
図５は、本発明の第２実施形態に係るＩＣカードホルダー３１の一例を示す斜視図であり、非接触ＩＣカード４ｂを収納するカード収納トレー３ｂの一部がケース本体１０から出た状態である。基本的な構成は、上述した第１実施形態の場合と同じであるので、共通部分については同一の符号を付してその説明を省略する。この第２実施形態に係るＩＣカードホルダー３１は、カード収納トレー選択手段に機械的手段を利用した点に特徴を有するものである。
【００５６】
機械的なカード収納トレー選択手段としては、爪を利用することができ、例えば図５に示すように、ケース本体１０の側面に、カード収納トレー３ａ，３ｂ，３ｃと並行する形の縦長の切欠部１１ａ，１１ｂ，１１ｃを設け、その切欠部１１ａ，１１ｂ，１１ｃに挿入されるスライド用爪１２ａ，１２ｂ，１２ｃが各カード収納トレー３ａ，３ｂ，３ｃの側面に設けられた構成を挙げることができる。このカード収納トレー選択手段に対応したカード収納トレー位置変更手段としては、例えば図５に示すように、利用したい非接触ＩＣカード４ｂに対応するスライド用爪１２ｂを切欠部１１ｂの長手方向にスライドさせる手動手段で行うことができる。なお、カード収納トレー３ｂに設けられたスライド用爪１２ｂが切欠部１１ｂの終端で止まるので、カード収納トレー３ｂがケース本体１０から外れることはない。
【００５７】
こうした機械的な機構からなるカード収納トレー選択手段及びカード収納トレー位置変更手段は、ＩＣカードホルダー３１を簡単な構造にできるという利点がある。
【００５８】
（第３実施形態）
図６は、本発明の第３実施形態に係るＩＣカードホルダー４１の一例を示す斜視図であり、非接触ＩＣカード４ａを収納するカード収納トレー３ａの一部がケース本体１０から出た状態である。基本的な構成は、上述した第１実施形態の場合と同じであるので、共通部分については同一の符号を付してその説明を省略する。この第３実施形態に係るＩＣカードホルダー４１は、カード収納トレー位置変更手段及び情報読出部位置変更手段を回動式とした点に特徴を有するものであり、スライド式のカード収納トレー位置変更手段及び情報読出部位置変更手段を備える第１実施形態のＩＣカードホルダー１とは相違する。
【００５９】
この第３実施形態は、カード収納トレー位置変更手段及び情報読出部位置変更手段を回動式の機械的機構としたものであり、図６に示すように、ケース本体１０に支柱９を形成して、その支柱９を回動中心としてカード収納トレーと情報読出部とを回動させる構成例である。支柱９は、図６に示すように、ケース本体１０の隅部（図６では左下部）に設けられ、この支柱９は、カード収納トレーの一の隅部と情報読出部７の一の隅部とを貫通するように設けられている。支柱９としては、ピン形状又はそれに類似する形状のものであれば特に限定されず、カード収納トレーの一の隅部と情報読出部７の一の隅部は、若干大きめの穴が形成されて回動し易くなっていることが好ましい。また、ケース本体１０は、図６に示すように、連続する２つの側面が開口した形態になっている。各カード収納トレー３ａ，３ｂ，３ｃ及び情報読出部７は、支柱９を回動軸として、外部リーダ／ライタ８と通信可能となる位置まで回動して使用される。
【００６０】
こうした機械的な回動式構造からなるカード収納トレー位置変更手段及び情報読出部位置変更手段は、ＩＣカードホルダー４１を簡単な構造にできるという利点がある。
【００６１】
（第４実施形態）
次に、本体カバーを有するＩＣカードホルダーについて説明する。図７は、本発明の第４実施形態に係るＩＣカードホルダーの一例を示す斜視図であり、本体カバーを有するＩＣカードホルダーの未使用時の形態である。図８は、図７のＩＣカードホルダーの概略断面構成図である。また、図９は、非接触ＩＣカード４ｂと外部の情報読出書込装置（外部リーダ／ライタ）との通信時の状態を示す斜視図であり、図１０は、図９を裏側から見たときの斜視図である。図７〜図１０に示すＩＣカードホルダーの基本的な構成は、上述した第１実施形態の場合と同じであるので、共通部分については同一の符号を付してその説明を省略する。
【００６２】
この第４実施形態のＩＣカードホルダー５１は、本体カバー２１を有している点に特徴があり、ＩＣカードホルダー本体５０と、それを覆う本体カバー２１とで構成されている。なお、ＩＣカードホルダー本体５０は、第１実施形態で示したＩＣカードホルダー１として説明する。
【００６３】
このＩＣカードホルダー５１は、未使用時においては本体カバー２１がＩＣカードホルダー本体５０を覆い、使用時においては本体カバー２１の一部がＩＣカードホルダー本体５０と重なって使用される。なお、使用時とは、非接触ＩＣカードが外部リーダ／ライタ８と通信する場合である。
【００６４】
本体カバー２１は、少なくともケース本体１０の一部と重なり、ＩＣカードホルダー本体５０の少なくとも一部を覆う形状であればよい。この本体カバー２１の構成の一つとして、例えば図７に示すように、直方体の形状で一側面が切欠部を有し、下面が読み取り窓２２で構成された形状が挙げられる。また、図示しないが、本体カバー２１がＩＣカードホルダー本体５０よりも小さいサイズで、本体カバー２１がＩＣカードホルダー本体５０の内部に格納される構造であっても構わない。ただし、下面、すなわち外部リーダ／ライタ８に対向する面に関しては、非接触ＩＣカードが外部リーダ／ライタ８と通信可能となる面積と同等もしくはそれ以上の面積の読み取り窓２２か、又は開口部を有する必要がある。本体カバー２１を構成する材料としては、ケース本体１０と同様のものを使用することができ、この際、ケース本体１０と本体カバー２１を同じ材料にすることもできるし、異なる材料にしても構わない。
【００６５】
本体カバー２１は、例えば図１０に示すように、使用時にカード収納トレー３ｂがケース本体１０からスライドして出る際に、そのカード収納トレー３ｂのスライドに付随して本体カバー２１もスライドし、位置変更した状態で使用される。こうしたスライド機構は、ＩＣカードホルダー本体５０又は本体カバー２１の何れかにスライドガイドが形成され、本体カバー２１はそのスライドガイドに沿って位置変更される。また、カード収納トレーに付随して本体カバー２１の位置が変更する他の例としては、例えば図６に示した機構と同様に、本体カバー２１を回動式で位置変更してもよい。こうした本体カバーの付随手段は、カード収納トレーの稼動に付随して自動的に稼動する機構も考えられるし、手動で行うものであっても構わない。
【００６６】
本体カバー２１は、ＩＣカードホルダー本体５０を保護するため、又は、外部からの不正アクセスを防止するセキュリティー効果を高めるために設けられる。特に後者の場合においては、本体カバー２１全体が導電体シールド機能を有するように構成することにより、図７で示した未使用時はＩＣカードホルダー５１全体を導電体シールドで覆うことができる。その結果、外部からの不正アクセスを防止することができ、セキュリティーが向上する。なお、ケース本体１０も同様に、導電体シールド機能を有するように構成すれば、よりセキュリティーを向上させることができる。
【００６７】
使用に際しての一例としては、先ず利用者が本体カバー２１を手動でスライドさせて、図９に示すように本体カバー２１の一部がＩＣカードホルダー本体５０と重なった状態にする。このとき、スライドする本体カバー２１がＩＣカードホルダー本体５０から落ちないように、本体カバー２１又はＩＣカードホルダー本体５０のいずれかに設けられたスライドガイドに、ストッパー機構が付加されていることが好ましい。
【００６８】
スライドさせた後のＩＣカードホルダー５１は、ＩＣカードホルダー本体５０の側面が露出して、カード収納トレー選択手段２ａ，２ｂ，２ｃである切替スイッチと情報読出部選択手段１３であるスイッチとが現れる。次いで、そのカード収納トレー選択手段と情報読出部選択手段の各スイッチを押して、両者をスライドさせてその一部を本体カバー２１外に出し、外部リーダ／ライタ８との間で通信して使用する。
【００６９】
本体カバー２１の外部リーダ／ライタ８側になる面、すなわちケース本体１０の情報表示部５が設けられた面と対向する面には、非接触ＩＣカードの読出し若しくは送信周波数の電磁波を透過する読み取り窓２２又は開口部を設けることが好ましい（図１０を参照）。こうした読み取り窓２２又は開口部は、図９及び図１０に示す使用形態において、外部リーダ／ライタ８との間の通信を容易且つ確実なものとすることができるので、好ましく設けられる。
【００７０】
読み取り窓２２は、電磁場透過性がある材料であれば何れの材料で形成してもよく、上述したカード収納トレーと同様のものを使用することができる。この際、カード収納トレーと読み取り窓２２を同じ材料で形成してもよいし、異なる材料で形成してもよい。なお、開口部は、本体カバーの一部を切り抜くことにより形成することができる。
【００７１】
なお、カード収納トレー選択手段２ａ，２ｂ，２ｃである切替スイッチや情報表示部５に関しては、図９に示すように、ＩＣカードホルダー本体５０の側面又は上面に設ける形態も可能であるし、また、本体カバー２１の側面や上面に設けることも可能である。
【図面の簡単な説明】
【００７２】
【図１】本発明の第１実施形態に係るＩＣカードホルダーの一例を示す斜視図である。
【図２】図１のＩＣカードホルダーの概略断面構成図である。
【図３】図１のＩＣカードホルダーに収納された非接触ＩＣカードのなかから、任意に選択した非接触ＩＣカードと外部の情報読出書込装置との通信時の斜視図の一例である。
【図４】図１に示すＩＣカードホルダーに具備された情報読出部と非接触ＩＣカードとの通信時の斜視図の一例である。
【図５】本発明の第２実施形態に係るＩＣカードホルダーの一例を示す斜視図である。
【図６】本発明の第３実施形態に係るＩＣカードホルダーの一例を示す斜視図である。
【図７】本発明の第４実施形態に係るＩＣカードホルダーの一例を示す斜視図である。
【図８】図７のＩＣカードホルダーの概略断面構成図である。
【図９】非接触ＩＣカードと外部の情報読出書込装置との通信時の状態を示す斜視図である。
【図１０】図９を裏側から見たときの斜視図である。
【符号の説明】
【００７３】
１，３１，４１，５１  ＩＣカードホルダー
２ａ，２ｂ，２ｃ  カード収納トレー選択手段（切替スイッチ）
３ａ，３ｂ，３ｃ  カード収納トレー
４ａ，４ｂ，４ｃ  非接触ＩＣカード
５  情報表示部
６  電源部
７  情報読出部（リーダ）
８  外部の情報読出書込装置（外部リーダ／ライタ）
９  支柱
１０  ケース本体
１１ａ，１１ｂ，１１ｃ  切欠部
１２ａ，１２ｂ，１２ｃ  スライド用爪
１３  情報読出部位置選択手段（スイッチ）
１４  電磁場遮蔽部
１５  カード収納トレー位置変更手段（ばね）
１６  情報読出部位置変更手段（ばね）
２１  本体カバー
２２  読み取り窓
５０  ＩＣカードホルダー本体
【図１】
2007108982.tif 000003
【図２】
2007108982.tif 000004
【図３】
2007108982.tif 000005
【図４】
2007108982.tif 000006
【図５】
2007108982.tif 000007
【図６】
2007108982.tif 000008
【図７】
2007108982.tif 000009
【図８】
2007108982.tif 000010
【図９】
2007108982.tif 000011
【図１０】
2007108982.tif 000012